(57)【要約】【課題】逆被せした場合にも、操作部を容易に操作することを可能にしたレンズフードを提供すること。【解決手段】内周部に、交換レンズへ基端側から装着可能とする第一のバヨネット式取付爪と、先端側から装着可能とする第二のバヨネット式取付爪が設けられたレンズフードと、前記レンズフードが装着される被取付部材とからなるレンズフード装置において、前記、第二のバヨネット式取付爪は前記、第一のバヨネット式取付爪より前記、レンズフードの先端側に、レンズフード中心軸方向に並列して設けられており、前記、第一のバヨネット式取付爪と第二のバヨネット式取付爪の双方とも前記、被取付部材へ同じ回転方向から挿入されることを特徴とする。【選択図】図１
2017026769.tif 000002
【特許請求の範囲】
【請求項１】
内周部に、交換レンズへ基端側から装着可能とする第一のバヨネット式取付爪と、先端側から装着可能とする第二のバヨネット式取付爪が設けられたレンズフードと、
前記レンズフードが装着される被取付部材と
からなるレンズフード装置において、
前記、第二のバヨネット式取付爪は前記、第一のバヨネット式取付爪より前記、レンズフードの先端側に、レンズフード中心軸方向に並列して設けられており、前記、第一のバヨネット式取付爪と第二のバヨネット式取付爪の双方とも前記、被取付部材へ同じ回転方向から挿入されることを特徴とするレンズフード装置。
【請求項２】
前記被取付部材には、前記第一のバヨネット式取付爪がバヨネット結合する被バヨネット式取付爪１と、前記第二のバヨネット式取付爪がバヨネット結合する被バヨネット式取付爪２と、が設けられており、前記レンズフードは、前記第一のバヨネット式取付爪が前記被バヨネット式取付爪１へ挿入された場合と、前記第二のバヨネット式取付爪が前記被バヨネット式取付爪２へ挿入された場合で回転規制部が同一箇所であることを特徴とする請求項１に記載のレンズフード装置。
【請求項３】
前記レンズフードは、花弁型フードであることを特徴とする請求項１又は請求項２に記載のレンズフード装置。
【発明の詳細な説明】
【技術分野】
【０００１】
本発明は、レンズ装置に装着されるレンズフード装置に関し、特にレンズ装置への取り付け方法に関する。
【背景技術】
【０００２】
従来、レンズ装置へ不要な光が入射することによるゴーストやフレアが撮影画像に入り込む問題があった。そこで、レンズ装置先端部へ、不要な光を遮光するためのレンズフードを取り付けることでゴーストやフレアを軽減させることが知られている。また、レンズフードを使用しない場合、レンズ装置へ逆被せしレンズフードを収納することが知られているが、レンズフード長辺部がカメラのグリップやレンズ解除スイッチ付近に位置しており操作の阻害となってしまう問題があった。
【０００３】
前述の問題を解決する案件として特許文献１には、花弁レンズフードの切り欠きに三脚座固定操作部が収まることを特徴とするレンズ鏡筒が開示されている。
【先行技術文献】
【特許文献】
【０００４】
【特許文献１】特開２００５−１９６００５号公報
【発明の概要】
【発明が解決しようとする課題】
【０００５】
上述の特許文献１に開示された従来技術では、レンズフードに取り付けられたレンズフード固定ノブを締め付けることでレンズフードをレンズ装置へ固定する構成である。
【０００６】
しかしながら、現在、より容易な固定手段として弾性部材を用いたレバー式ロック機構が求められている。
【０００７】
そこで、本発明の目的は、より容易な固定手段を有したレンズフードを、逆被せした場合にも、カメラやレンズの操作部を容易に操作することを可能にしたレンズフード装置を提供することにある。
【課題を解決するための手段】
【０００８】
上記の目的を達成するために、本発明に係るレンズフード装置は、内周部に交換レンズへ基端側から装着可能とする第一のバヨネット式取付爪と、先端側から装着可能とする第二のバヨネット式取付爪が設けられたレンズフードと、前記レンズフードが装着される被取付部材とからなるレンズフード装置において、前記第二のバヨネット式取付爪は前記第一のバヨネット式取付爪より前記レンズフードの先端側に、レンズフード中心軸方向に並列して設けられており、前記第一のバヨネット式取付爪と第二のバヨネット式取付爪の双方とも前記、被取付部材へ同じ回転方向から挿入されることを特徴とする。
【発明の効果】
【０００９】
本発明によれば、より容易な固定手段を有したレンズフードを逆被せした場合にも、操作部を容易に操作することを可能にしたレンズフード装置を提供することができる。
【図面の簡単な説明】
【００１０】
【図１】カメラと交換レンズと本実施例のレンズフードを正被せに組み合わせた斜視図
【図２】カメラと交換レンズと本実施例のレンズフードを逆被せに組み合わせた斜視図
【図３】本実施例のレンズフードの要所展開図
【図４】従来例のレンズフードの要所展開図
【発明を実施するための形態】
【００１１】
以下に、本発明の好ましい実施の形態を、添付の図面に基づいて詳細に説明する。
【実施例１】
【００１２】
以下、図１〜４を参照して、本発明の第1の実施例による、レンズフードについて説明する。
【００１３】
図１はカメラ１に交換レンズ２を装着し、交換レンズ２に本実施例のレンズフード３を正被せに装着した様子を表している。撮影時にはグリップ１０１を握り、カメラ１を支持しシャッターボタン１０２を押すことで撮影をすることができる。レンズフード３は撮影時に有害な光を遮断する効果があり、良好な写真を撮るため使用されている。
【００１４】
レンズフードは画面外の有害な光線を遮光し、かつ矩形対角方向にケラレ等が生じることがないよう、レンズフード形状を花弁形状にすることはよく知られている。図１に示す本実施例のレンズフード３は前述の花弁形状を有するレンズフードとなっている。
【００１５】
次にレンズフード３を交換レンズ２へと正被せで装着する方法について説明する。
【００１６】
レンズフード３には第一バヨネット式取付爪３０１aが設けられており、交換レンズ２の被バヨネット式取付爪２０１へ挿入し矢印Ａ側からみて右周りに90°回転することでレンズフード３の回転規制部３０２に突きあたる。同時にロック機構３０３のロックが交換レンズ２の被バヨネット式取付爪２０１にかかることでレンズフード３は交換レンズ２へと固定装着される。
【００１７】
装着後のレンズフード３はＺ方向に長辺部３０４が位置されている。また、レンズフード３は光軸方向に長いほど不必要な光を遮断することができ、より良好な写真を撮るのに適している。
【００１８】
図２はカメラ１に交換レンズ２を装着し、交換レンズ２に本実施例のレンズフード３を逆被せに装着した様子を表している。レンズフードが不必要な撮影の場合やカバンに収納する際などレンズフードが不必要な場合、図２のようにレンズフード３を交換レンズへ逆被せすることで収納することができる。
【００１９】
次にレンズフード３を交換レンズ２へと逆被せで装着する方法について説明する。
【００２０】
レンズフード３には第二バヨネット爪式取付３０１bが設けられており、交換レンズ２の被バヨネット式取付爪２０１へ挿入しレンズフード３を矢印Ａ側からみて右周りに90°回転することでレンズフード３の回転規制部３０４に突きあたる。同時にロック機構３０３のロックが被バヨネット式取付爪２０１にかかることでレンズフード３は交換レンズ２へと装着される。
【００２１】
レンズフード３を逆被せで装着した際にも、正被せ時と同様Ｚ方向に長辺部が位置されている。
【００２２】
前述のようにレンズフードを逆被せで装着すると、レンズフード３の短辺部３０５がＹ方向に位置することとなり、カメラ１のグリップ１０１やレンズ解除スイッチ１０２を保持、操作する際のスペースを設けることができ、本実施例の目的である容易な操作性を実現することができる。
【００２３】
図３は本実施例の特徴であるグリップ１０１、レンズ解除スイッチ１０２の位置へレンズフード短辺部が位置するためのレンズフード３のバヨネット構造展開図を示す。
【００２４】
図３に示す第一バヨネット式取付爪３０１aは正被せ時に用いられ、第二バヨネット爪式取付３０１bは逆被せ時に用いられるバヨネット式取付爪を示している。第一バヨネット式取付爪３０１a、バヨネット式取付爪３０１bは、花弁フード中心軸方向に並列して設けられている。
【００２５】
本実施例のレンズフードでは正被せの際には矢印「正」、逆被せの際には矢印「逆」方向から被バヨネット式取付爪２０１に挿入され、正被せと逆被せで同一方向から不図示の被バヨネット式取付爪に挿入される。そして回転規制部３０２へつきあたった際にロック機構にて固定装着される。
【００２６】
本実施例では回転規制部３０２は正被せと逆被せで同様の箇所を使用しているため、精度が必要な部位を削減することが可能となっている。
【００２７】
図４に、本実施例のバヨネット式取付構造との対比のために従来使用されているレンズフードのバヨネット式取付構造展開図を図示する。
【００２８】
第一バヨネット式取付爪４０１aは正被せ時に用いられ、第二バヨネット式取付爪４０１bは逆被せ時に用いられるバヨネット式取付爪を示している。
【００２９】
図３と同様で正被せの際には矢印「正」、逆被せの際には矢印「逆」方向から不図示の被バヨネット式取付爪に挿入され、正被せと逆被せで逆の方向から被バヨネット式取付爪２０１に挿入される。回転規制部も正被せで４０２aと逆被せ４０２bといったように異なる箇所を使用しているため、本実施例より精度が必要な部位が増加してしまう。
【００３０】
以上、本発明の好ましい実施形態について説明したが、本発明はこれらの実施形態に限定されず、その要旨の範囲内で種々の変形及び変更が可能である。
【符号の説明】
【００３１】
２  交換レンズ、２０１  被バヨネット式取付爪、３  レンズフード、
３０１a  第一バヨネット式取付爪、３０１b  第二バヨネット式取付爪、
３０２  回転規制部、３０４  長辺部、３０５  短辺部
【図１】
2017026769.tif 000003
【図２】
2017026769.tif 000004
【図３】
2017026769.tif 000005
【図４】
2017026769.tif 000006